(57)【要約】【課題】点検機器、点検エリアの状態、過去の点検・監視履歴又は保守・補修履歴を運転員が容易に認識できる現場状態管理システムを提供する。【解決手段】本現場状態管理システムは、現場状態の情報を統括するホストコンピュータ１０と、このホストコンピュータ１０に情報伝送通信手段１４を介して情報伝送可能に設けられた携帯用子機１５と、この携帯用子機１０に現場状態を入力する子機入力手段１０ａと、子機１５から現場状態を出力する子機出力手段と、ホストコンピュータ１０に各々設けられた出力手段１３、表示手段１１を有する。【選択図】  図１
2004349804.tif 000002
【特許請求の範囲】
【請求項１】
現場状態の情報を統括するホストコンピュータと、このホストコンピュータに情報伝送通信手段を介して情報伝送可能に設けられた携帯用子機と、この携帯用子機に現場状態を入力する子機入力手段と、前記携帯用子機から現場状態を出力する子機出力手段と、前記ホストコンピュータに各々設けられ、前記携帯用子機から現場状態を出力する出力手段と現場状態を表示する表示手段を有することを特徴とする現場状態管理システム。
【請求項２】
請求項１に記載の現場状態管理システムにおいて、前記ホストコンピュータは、現場機器の点検と監視情報として、機器番号、機器名称、機器設置場所、機器の状態等の情報を含み、かつ各条件を予め記憶している条件記憶手段を備え、この条件を携帯用子機に伝送する機能を有することを特徴とする現場状態管理システム。
【請求項３】
請求項２に記載の現場状態管理システムにおいて、前記条件記憶手段は、エリア名称、エリア場所、エリア異常の有無等の情報を含むことを特徴とする現場状態管理システム。
【請求項４】
請求項３に記載の現場状態管理システムにおいて、前記条件記憶手段は、現場機器の保守・補修情報、過去の保守・補修履歴情報を含むことを特徴とする現場状態管理システム。
【請求項５】
請求項１ないし４のいずれか１項に記載の現場状態管理システムにおいて、前記携帯用子機の子機入力手段及び前記子機出力手段は、各機器あるいはエリアに取り付けた非接触式の記憶素子と点検・監視情報を授受することを特徴とする現場状態管理システム。
【請求項６】
請求項１ないし５のいずれか１項に記載の現場状態管理システムにおいて、前記携帯用子機から点検・監視情報を非接触式の記憶素子に出力し、あるいはその情報を記憶保存、あるいは入力することにより点検・監視情報を表示処理する子機表示処理手段を有することを特徴とする現場状態管理システム。
【請求項７】
請求項６に記載の現場状態管理システムにおいて、前記表示処理手段は、非接触式の記憶素子に記憶されている情報を用いて予め記憶している条件情報と比較して成立・不成立の条件を判定して、成立の条件と不成立の条件とを区別して表示することを特徴とする現場状態管理システム。
【請求項８】
請求項１ないし７のいずれか１項に記載の現場状態管理システムにおいて、現場にて携帯用子機に記憶された情報をホストコンピュータに伝送し、所定の書式に出力する出力手段を有することを特徴とする現場状態管理システム。
【請求項９】
請求項１ないし８のいずれか１項に記載の現場状態管理システムにおいて、現場にて携帯用子機に記憶された情報をホストコンピュータに伝送し、機器別・エリア別に点検状況を表示する表示手段を有することを特徴とする現場状態管理システム。
【請求項１０】
請求項１ないし９のいずれか１項に記載の現場状態管理システムにおいて、予め記憶している機器構成図・エリア図上の機器設置場所に携帯用子機から伝送された完了状況等を表示する表示手段を有することを特徴とする現場状態管理システム。
【発明の詳細な説明】
【０００１】
【発明の属する技術分野】
本発明は現場状態管理システムに係わり、特に火力発電プラント、原子力発電プラント、化学プラント等の現場状態を点検・監視した情報を管理する現場状態管理システムに関する。
【０００２】
【従来の技術】
原子力発電所等のプラントにおいては、定期点検が終了しプラントを起動する前に、プラントを構成する機器等の運転を行っても問題のない状態に構成し直す必要がある。構成機器はその数が、２万点を超え、機器の運転状確認、弁の開閉状態確認は点検シート（紙）により運転員が各設備を順次回って確認している。また、プラント運転中には各機器を定期的に回り、異常の有無等を確認している。
【０００３】
現状、プラント内機器の運転状態確認は、設備毎に確認を行なうため、プラント内に点在している機器を順番に回らなくてはならず、かつ点在している機器の設置場所はある程度の経験者でないと全て覚えられない。また、確認した結果の整理と未点検機器の把握の確認があり、これらは運転員にとって点検に時間を要するという負担となっている。
【０００４】
【発明が解決しようとする課題】
本発明は上述した事情を考慮してなされたもので、点検機器、点検エリアの状態、過去の点検・監視履歴または保守・補修履歴を運転員が容易に認識できる現場状態管理システムを提供することを目的とする。
【０００５】
【課題を解決するための手段】
上記目的を達成するため、本発明の１つの態様によれば、現場状態の情報を統括するホストコンピュータと、このホストコンピュータに情報伝送通信手段を介して情報伝送可能に設けられた携帯用子機と、この携帯用子機に現場状態を入力する子機入力手段と、前記携帯用子機から現場状態を出力する子機出力手段と、前記ホストコンピュータに各々設けられ、前記携帯用子機から現場状態を出力する出力手段と現場状態を表示する表示手段を有することを特徴とする現場状態管理システムが提供される。これにより、携帯用子機からの点検入力情報を用い、ホストコンピュータ内情報と照合し、相違点結果と点検進捗結果及び全て完了している場合は点検結果を出力することにより、運転員の機器管理業務の負担が軽減される。
【０００６】
好適な一例では、前記ホストコンピュータは、現場機器の点検と監視情報として、機器番号、機器名称、機器設置場所、機器の状態等の情報を含み、かつ各条件を予め記憶している条件記憶手段を備え、この条件を携帯用子機に伝送する機能を有する。これにより、ホストコンピュータから携帯用子機への伝送情報には一般的な機器情報の他に、機器設置場所等の情報を持つことにより、これらに関した紙の情報を用意する必要がない。
【０００７】
また、他の好適な一例では、前記条件記憶手段は、エリア名称、エリア場所、エリア異常の有無等の情報を含む。これにより、ホストコンピュータから携帯用子機への伝送情報には点検・監視に必要な情報が全て含まれているため、チェック漏れや見落としといった人為的なミスを起こすことがなく作業の効率化と的確化が実現する。
【０００８】
また、他の好適な一例では、前記条件記憶手段は、現場機器の保守・補修情報、過去の保守・補修履歴情報を含む。これにより、ホストコンピュータから携帯用子機への伝送情報には保守・補修に必要な情報が全て含まれており、伝送された情報で保守・補修情報のデータベースを更新するので、履歴情報として一元的に管理され効率良い点検・監視が実現する。
【０００９】
また、他の好適な一例では、前記携帯用子機の子機入力手段及び前記子機出力手段は、各機器あるいはエリアに取り付けた非接触式の記憶素子と点検・監視情報を授受する。これにより、現場で点検した機器の情報を携帯用子機と非接触式の記憶素子を用いることにより、手入力することなく簡便に情報を取り込むことができ、運転員の負担軽減となる。
【００１０】
また、他の好適な一例では、請求項１ないし５のいずれか１項に記載の現場状態管理システムにおいて、前記携帯用子機から点検・監視情報を非接触式の記憶素子に出力し、あるいはその情報を記憶保存、あるいは入力することにより点検・監視情報を表示処理する子機表示処理手段を有することを特徴とする現場状態管理システム。これにより、現場の機器に触ることなく非接触で状態を速やかに確認できまた過去の点検と監視履歴を確認できるため、速やかに対応処置ができる。
【００１１】
また、他の好適な一例では、非接触式の記憶素子に記憶されている情報を用いて予め記憶している条件情報と比較して成立・不成立の条件を判定して、成立の条件と不成立の条件とを区別して表示する。これにより、現場状態の指示情報と実際の現場の状態情報の条件が比較され、成立・不成立の条件を区別して表示するため、運転員が容易に認識できる。
【００１２】
また、他の好適な一例では、現場にて携帯用子機に記憶された情報をホストコンピュータに伝送し、所定の書式に出力する出力手段を有する。これにより、ホストコンピュータに携帯用子機情報を伝送受信し、管理用の所定の書式に出力することにより、運転員に対する点検データ整理の負担を軽減することができる。
【００１３】
また、他の好適な一例では、現場にて携帯用子機に記憶された情報をホストコンピュータに伝送し、機器別・エリア別に点検状況を表示する表示手段を有する。これにより、携帯用子機からの情報をホストコンピュータにて、機器別もしくはエリア別に処理し、点検進捗管理を行いその情報を表示することにより、運転員の点検管理の負担を軽減し、かつ抜けのない確実な点検管理を行うことができる。
【００１４】
また、他の好適な一例では、予め記憶している機器構成図・エリア図上の機器設置場所に携帯用子機から伝送された完了状況等を表示する表示手段を有する。これにより、機器構成因もしくはエリア図を表示することにより、運転員は現場状態を明確に把握することができる。
【００１５】
【発明の実施の形態】
本発明に係わる現場状態管理システムの実施形態を図面を参照して説明する。
【００１６】
図１は本発明に係わる現場状態管理システムの実施形態のブロック図である。
【００１７】
図１に示すように、本実施形態の現場状態管理システム１は、現場状態の情報、例えば点検機器情報、エリア保持及び保守情報等を統括管理するホストコンピュータ１０と現場情報を収集し、読み書き可能な子機入力手段１５ａと子機表示処理手段１５ｂを有する携帯用子機１５から構成されている。
【００１８】
ホストコンピュータ１０は、運転員と対話し、子機１５に現場状態の送信を指示するキーボード等の入力手段１２と、現場状態を表示するＣＲＴなどの表示手段１１と、子機１５から現場状態を出力するプリンタなどの出力手段１３と、上記子機１５と情報伝送通信手段１４を介して情報の送受信を行なう通信装置１０ａを備えている。
【００１９】
また、ホストコンピュータ１０は、条件記憶手段として機能する外部記憶装置１０ｂを有し、この外部記憶装置１０ｂには、機器番号、機器名称等の情報を保存する機器情報保存部、エリア名称、エリア場所、エリア異常の有無等の情報を保存するエリア情報保存部、現場機器の保守・補修情報、過去の保守・補修履歴情報等の情報を保存する保守情報保存部が設けられている。これにより、子機１５から伝送されてくる現場状態の情報をホストコンピュータ１０により情報処理し、この結果を表示手段１１あるいは出力手段１３に表示もしくは出力するようになっている。
【００２０】
上記携帯用子機１５は、現場状態を読み書き可能であり、演算制御装置、主記憶装置、外部記憶装置及び送受信装置を有し、子機入力手段、子機出力手段、表示処理手段及び子機送受信手段を機能的に有する。
【００２１】
上記情報伝送通信手段１４は、電話回線（ＩＳＤＮ）、モデム回線を用いる場合とインターネットを用いる場合などがある。
【００２２】
上記ホストコンピュータ１０から子機１５への伝送情報は、機器番号、機器名称、機器設置場所、機器の状態等を伝送し機器の指定をするだけで必要な情報を取得できるようになっており、また、ホストコンピュータ１０から子機１５への伝送情報は、エリア名称、エリア場所、エリア状態等を伝送しエリアを指定するだけで必要な情報を取得できるようになっており、さらに、ホストコンピュータ１０から子機１５への伝送情報は、機器の保守・補修情報、過去の保守・補修情報等を伝送し、機器の指定により対象となる情報を処理し表示する子機表示処理手段１５ｂに表示できるようになっている。
【００２３】
子機１５の子機入力手段及び子機出力手段は、子機送受信手段を介して機器Ｐ、エリアＡに取り付けた非接触式の記憶素子ｍとデータの授受が可能になっている。これにより、運転員の要求により子機１５から点検・監視情報を非接触式の記憶素子ｍに出力することにより情報を記憶保存、また上記情報を入力することにより、点検・監視情報、過去の履歴を処理して表示するようになっている。表示処理手段１１で現場状態の指示情報と実際の現場の状態情報の条件が比較され、成立・不成立の条件を区別して表示する。また、運転員の要求により子機１５からの情報をホストコンピュータ１０に伝送し、所定の書式に出力する。さらに、ホストコンピュータ１０は、子機１５からの情報を運転員の要求により機器別・エリア別に点検状況を管理する。ホストコンピュータ１０が子機１５からの情報を運転員の要求により機器構成因、エリア図上の機器設置場所に表示する。
【００２４】
図２は現場における機器またはエリアの状態確認とその結果の入力のフローチャートであり、図２に沿って状態確認とその入力について説明する。
【００２５】
運転員は、機器またはエリアの状態確認を行うにあたり、最初に、図１に示す入力手段１２により表示手段１１の表示より、点検機器ＰまたはエリアＡを選択（１００）する。
選択した現場機器Ｐまたは現場エリアＡの点検と監視情報を子機１５に伝送（１０１）する。
運転員は、子機１５を携帯し、現場の選定点検対象機器または点検対象エリアに赴く。運転員は、子機１５より点検担当者として自分を選択（１０２）する。
【００２６】
さらに、運転員は、点検対象機器Ｐまたは点検対象Ａエリアに設置されている非接触式の記憶素子ｍに記憶されている情報を読み込み（１０３）、情報を確認（１０４）する。
運転員は、現場状態の情報をホストコンピュータ１０から伝送された点検指示に従い点検対象機器Ｐまたは点検対象エリアＡの点検（１０５）を行う。
【００２７】
点検対象に問題があった場合、過去の点検と監視履歴を子機表示処理手段１５ｂに表示（１０６）する。
【００２８】
また、必要に応じて、保守・補修情報を子機表示処理手段１５ｂに表示（１０７）する。点検内容（異常情報等）を子機１５に記録（１０８）し、非接触式の記憶素子ｍに書き込む（１０９）。
【００２９】
運転員は、選定した点検機器またはエリアの未実施箇所がないか未実施情報を子機表示処理手段１５ｂに表示（１１０）させ確認を行う。
【００３０】
予定した点検が完了したら、運転員は現場を去り点検した情報を子機１５からホストコンピュータ１０に伝送する。
【００３１】
図３は状態確認の出力のフローチャートであり、図３に沿ってその出力を説明する。
【００３２】
運転員は、入力手段１２により、表示手段１１に表示させた現場状態確認点検結果を確認（２００）する。
【００３３】
必要に応じて出力手段１３により、所定の書式に出力（２０１）する。
【００３４】
運転員は、機器構成図を表示手段１１に表示（２０２）し現場状態を確認する。
【００３５】
また、エリア図を表示（２０３）し、同様な確認を行う。
【００３６】
運転員は、点検指示と点検結果が異なる場合、過去の点検と監視履歴を表示（２０４）し点検状態を確認する。
【００３７】
上記のように、本実施形態によれば、携帯用子機からの点検入力情報を用い、ホストコンピュータ内情報と照合し、相違点結果と点検進捗結果及び全て完了している場合は点検結果を出力することにより、運転員の機器管理業務の負担が軽減される。ホストコンピュータから携帯用子機への伝送情報には一般的な機器情報の他に、機器設置場所等の情報を持つことにより、これらに関する紙の情報を用意する必要がない。ホストコンピュータから携帯用子機への伝送情報には点検・監視に必要な情報が全て含まれているため、チェック漏れや見落としといった人為的なミスを起こすことがなく作業の効率化と的確化が実現する。ホストコンピュータから携帯用子機への伝送情報には保守・補修に必要な情報が全て含まれており、伝送された情報で保守・補修情報のデータベースを更新するので、履歴情報として一元的に管理され効率良い点検・監視が実現する。現場で点検した機器の情報を携帯用子機と非接触式の記憶素子を用いることにより、手入力することなく簡便に情報を取り込むことができ、運転員の負担軽減となる。現場の機器に接触することなく非接触で状態を速やかに確認できまた過去の点検と監視履歴を確認できるため、速やかに対応処置ができる。現場状態の指示情報と実際の現場の状態情報の条件が比較され、成立・不成立の条件を区別して表示するため、運転員が容易に認識できる。ホストコンピュータに携帯用子機情報を伝送受信し、管理用の所定の書式に出力することにより、運転員に対する点検データ整理の負担を軽減することができる。携帯用子機からの情報をホストコンピュータにて、機器別もしくはエリア別に処理し、点検進捗管理を行いその情報を表示することにより、運転員に対し点検管理の負担を軽減し、かつ抜けのない確実な点検管理を行うことができる。機器構成図もしくはエリア図を表示することにより、運転員は現場状態を明確に把握することができる。
【００３８】
【発明の効果】
本発明に係わる現場状態管理システムによれば、点検機器、点検エリアの状態、過去の点検・監視履歴または保守・補修履歴を運転員が容易に認識できる現場状態管理システムを提供することができる。
【図面の簡単な説明】
【図１】本発明に係わる現場状態管理システムの実施形態のブロック図。
【図２】本発明に係わる現場状態管理システムの機器、エリアの状態確認結果入力フローチャート図。
【図３】本発明に係わる現場状態管理システムの機器、エリアの状態確認結果出力フローチャート図。
【符号の説明】
１０  ホストコンピュータ
１１  表示手段
１２  入力手段
１３  出力手段
１４  情報伝送通信手段
１５  携帯用子機
【図１】
2004349804.tif 000003
【図２】
2004349804.tif 000004
【図３】
2004349804.tif 000005